【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
ファイルを取り扱うファイル装置と、前記ファイルを保存するストレージ装置とを備えるコンピュータシステムであって、
前記ストレージ装置に設けられ、物理的な記憶領域を有する第１および第２の実ボリュームと、
仮想的な記憶領域を有する仮想ボリュームを前記ファイル装置に提供する仮想ボリューム提供部と、
前記仮想ボリューム上の前記仮想的な記憶領域に前記ファイルを書き込む指示であるライトコマンドが前記ファイル装置から受信される場合に、前記ライトコマンドが伝送されるアクセス経路に応じて、前記第１および第２の実ボリュームの一方を選択する実ボリューム選択部と、
前記ライトコマンドに指示される仮想的な記憶領域を、前記選択される実ボリューム上の前記物理的な記憶領域に対応付ける対応管理部と、
前記ライトコマンドに指示されるファイルを、前記対応付けられる物理的な記憶領域に書き込むライト実行部と
を備えるコンピュータシステム。
【請求項２】
前記仮想ボリューム上の前記仮想的な記憶領域から前記ファイルを読み出す指示であるリードコマンドが前記ファイル装置から受信される場合に、前記リードコマンドに指示される仮想的な記憶領域に対応付けられる前記物理的な記憶領域から、前記リードコマンドに指示されるファイルを読み出すリード実行部を更に備える請求項１記載のコンピュータシステム。
【請求項３】
請求項１または２記載のコンピュータシステムであって、
更に、前記ファイル装置から前記仮想ボリュームに対するアクセスコマンドを受信する複数のアクセスポート部を備え、
前記ライトコマンドは、前記複数のアクセスポート部のいずれかを送信先として特定する送信先特定情報を含み、
前記実ボリューム選択部は、前記ライトコマンドに含まれる送信先特定情報に基づいて、前記第１および第２の実ボリュームの一方を選択するコンピュータシステム。
【請求項４】
請求項１または２記載のコンピュータシステムであって、
前記ファイル装置は複数であり、
前記ライトコマンドは、前記複数のファイル装置のいずれかを発信元として特定する発信元特定情報を含み、
前記実ボリューム選択部は、前記ライトコマンドに含まれる発信元特定情報に基づいて、前記第１および第２の実ボリュームの一方を選択するコンピュータシステム。
【請求項５】
請求項１または２記載のコンピュータシステムであって、
更に、前記ファイル装置から前記仮想ボリュームに対するアクセスコマンドを受信する複数のアクセスポート部を備え、
前記ファイル装置は複数であり、
前記ライトコマンドは、
前記複数のアクセスポート部のいずれかを送信先として特定する送信先特定情報と、
前記複数のファイル装置のいずれかを発信元として特定する発信元特定情報と
を含み、
前記実ボリューム選択部は、前記ライトコマンドに含まれる送信先特定情報および発信元特定情報の組み合わせに基づいて、前記第１および第２の実ボリュームの一方を選択するコンピュータシステム。
【請求項６】
請求項１ないし５のいずれか記載のコンピュータシステムであって、
前記第１の実ボリュームは、前記第２の実ボリュームよりも速いアクセス速度で動作し、
前記ファイル装置は、
前記ファイルを利用するホストコンピュータと、
前記第１の実ボリュームから前記第２の実ボリュームへ前記ファイルを移行するファイル移行装置と
を含み、
前記ホストコンピュータは、前記第１の実ボリュームが選択されるアクセス経路で前記ライトコマンドを発信する第１のコマンド発信部を備え、
前記ファイル移行装置は、前記第２の実ボリュームが選択されるアクセス経路で前記ライトコマンドを発信する第２のコマンド発信部を備えるコンピュータシステム。
【請求項７】
請求項１ないし６のいずれか記載のコンピュータシステムであって、
前記ストレージ装置は、
前記第１の実ボリュームを備える第１のストレージ装置と、
前記第２の実ボリュームを備える第２のストレージ装置と
を含み、
前記第１および第２のストレージ装置はネットワークを介して接続されるコンピュータシステム。
【請求項８】
前記第１および第２の実ボリュームの少なくとも一方は、ＲＡＩＤ技術を用いて複数のハードディスクで構成される請求項１ないし７のいずれか記載のコンピュータシステム。
【請求項９】
ファイル装置によって取り扱われるファイルを保存するストレージ装置であって、
物理的な記憶領域を有する第１および第２の実ボリュームと、
仮想的な記憶領域を有する仮想ボリュームを前記ファイル装置に提供する仮想ボリューム提供部と、
前記仮想ボリューム上の前記仮想的な記憶領域に前記ファイルを書き込む指示であるライトコマンドが前記ファイル装置から受信される場合に、前記ライトコマンドが伝送されるアクセス経路に応じて、前記第１および第２の実ボリュームの一方を選択する実ボリューム選択部と、
前記ライトコマンドに指示される仮想的な記憶領域を、前記特定される実ボリューム上の前記物理的な記憶領域に対応付ける対応管理部と、
前記ライトコマンドに指示されるファイルを、前記対応付けられる物理的な記憶領域に書き込むライト実行部と
を備えるストレージ装置。
【請求項１０】
前記仮想ボリューム上の前記仮想的な記憶領域から前記ファイルを読み出す指示であるリードコマンドが前記ファイル装置から受信される場合に、前記リードコマンドに指示される仮想的な記憶領域に対応付けられる前記物理的な記憶領域から、前記リードコマンドに指示されるファイルを読み出すリード実行部を更に備える請求項９記載のストレージ装置。
【請求項１１】
請求項９または１０記載のストレージ装置あって、
更に、前記ファイル装置から前記仮想ボリュームに対するアクセスコマンドを受信する複数のアクセスポート部を備え、
前記ライトコマンドは、前記複数のアクセスポート部のいずれかを送信先として特定する送信先特定情報を含み、
前記実ボリューム選択部は、前記ライトコマンドに含まれる送信先特定情報に基づいて、前記第１および第２の実ボリュームの一方を選択するストレージ装置。
【請求項１２】
請求項９または１０記載のストレージ装置であって、
前記ライトコマンドは、複数の前記ファイル装置のいずれかを発信元として特定する発信元特定情報を含み、
前記実ボリューム選択部は、前記ライトコマンドに含まれる発信元特定情報に基づいて、前記第１および第２の実ボリュームの一方を選択するストレージ装置。
【請求項１３】
請求項９または１０記載のストレージ装置であって、
更に、前記ファイル装置から前記仮想ボリュームに対するアクセスコマンドを受信する複数のアクセスポート部を備え、
前記ライトコマンドは、
前記複数のアクセスポート部のいずれかを送信先として特定する送信先特定情報と、
複数の前記ファイル装置のいずれかを発信元として特定する発信元特定情報と
を含み、
前記実ボリューム選択部は、前記ライトコマンドに含まれる送信先特定情報および発信元特定情報の組み合わせに基づいて、前記第１および第２の実ボリュームの一方を選択するトレージ装置。
【請求項１４】
前記第１の実ボリュームは、前記第２の実ボリュームよりも速いアクセス速度で動作する請求項９ないし１３のいずれか記載のストレージ装置。
【請求項１５】
請求項９ないし１４のいずれか記載のストレージ装置であって、
前記ストレージ装置は、ネットワークを介して互いに接続される第１および第２のストレージ装置で構成され、
前記第１の実ボリュームは、前記第１のストレージ装置に備えられ、
前記第２の実ボリュームは、前記第２のストレージ装置に備えられるストレージ装置。
【請求項１６】
前記第１および第２の実ボリュームの少なくとも一方は、ＲＡＩＤ技術を用いて複数のハードディスクで構成される請求項９ないし１５のいずれか記載のストレージ装置。